(57)【要約】【課題】  ポインタを表示部の画面上の所定位置に退避させると共に、退避されたポインタをポインティングデバイスの操作に基づいて退避前の表示位置に復帰させるようにしたポインタ表示制御装置とそのポインタ表示方法および表示プログラムを提供する。【解決手段】  表示部２２０と、ポインティングデバイス１４０から入力される入力信号に基づいて、ポインタを表示部の画面上の所定位置に表示させる制御部２１０と、を設けたポインタ表示制御装置２００であって、上記制御部２１０が、所定の条件によりポインタを表示部の画面上の前もって決められた退避位置に移動させ、当該ポインタを異なる表示形式に変更するように、構成する。【選択図】  図１
2006209671.tif 000002
【特許請求の範囲】
【請求項１】
表示手段と、
ポインティングデバイスから入力される入力信号に基づいて、ポインタを表示手段の画面上の所定位置に表示させる制御手段と、
を設けたポインタ表示制御装置であって、
上記制御手段が、
前もって決められた入力操作に基づいて、及び／又は、ポインティングデバイスが所定時間操作されないとき、
ポインタを表示手段の画面上の前もって決められた退避位置に移動させ、当該ポインタを異なる表示形式に変更する
ことを特徴とするポインタ表示制御装置。
【請求項２】
上記制御手段が、
ポインタを上記退避位置に移動させた後、当該ポインタを前もって決められた動作パターンで移動表示する処理、
又は、
上記退避位置で表示するポインタの表示形式に複数個の描画パターンが登録されており、各描画パターンを順次に表示する処理
の一方又は双方を実行する
ことを特徴とする請求項１記載のポインタ表示制御装置。
【請求項３】
上記制御手段が、ポインタを上記退避位置に移動させる際に、移動前のポインタの現在位置を取得して、記憶手段に登録すると共に、ポインタが退避位置に表示されている状態でポインティングデバイスが操作されたとき、上記記憶手段から現在位置を読み出して、この現在位置にポインタを復帰させ、当該ポインタを元の表示形式に変更する
ことを特徴とする請求項１または２記載のポインタ表示制御装置。
【請求項４】
上記制御手段が、ポインタを現在位置に復帰させる際に、前もって設定された復帰速度および／または復帰軌道でポインタを現在位置に復帰させる
ことを特徴とする請求項３に記載のポインタ表示制御装置。
【請求項５】
上記制御手段が、ポインタを現在位置に復帰させた後に、告知信号を発生させる
ことを特徴とする請求項３または４に記載のポインタ表示制御装置。
【請求項６】
ポインティングデバイスの操作に応じて表示手段の画面上の所定位置に表示させるポインタ表示制御方法において、
所定の条件が満たされたとき、ポインタの現在位置を取得し、記憶手段に登録するステップと、
当該ポインタを上記表示手段の画面上の前もって決められた退避位置に移動させると共に、当該ポインタを異なる表示形式に変更するステップと、
その後、ポインタが退避位置に表示されている状態でポインティングデバイスが操作されたとき、ポインタを上記現在位置に移動させると共に、当該ポインタを元の表示形式に変更するステップと、を設けた
ことを特徴とするポインタ表示制御方法。
【請求項７】
ポインティングデバイスの操作に応じて表示手段の画面上の所定位置に表示させる処理をコンピュータに実行させるためのポインタ表示制御プログラムにおいて、
所定の条件が満たされたとき、ポインタの現在位置を取得し、記憶手段に登録する手順と、
当該ポインタを上記表示手段の画面上の前もって決められた退避位置に移動させると共に、当該ポインタを異なる表示形式に変更する手順と、
その後、ポインタが退避位置に表示されている状態でポインティングデバイスが操作されたとき、ポインタを上記現在位置に移動させると共に、当該ポインタを元の表示形式に変更する手順と、をコンピュータに実行させる
ことを特徴とするポインタ表示制御プログラム。
【発明の詳細な説明】
【技術分野】
【０００１】
本発明は、例えばパーソナルコンピュータ等の情報処理装置で使用されるポインタ表示制御装置，ポインタ表示制御方法およびポインタ表示制御プログラムに関するものである。
【背景技術】
【０００２】
従来、例えばパーソナルコンピュータ等の情報処理装置において、入力手段として、キーボード等のキー入力装置と、マウス，トラックボール等のポインティングデバイスと、が広く利用されている。そして、これらのキー入力装置およびポインティングデバイスによって、これらの入力操作にしたがって、所望の入力を行なうことができるようになっている。
【０００３】
ここで、一般的には、キー入力装置による画面上での入力位置を表わすために、表示手段の画面上には、所謂カーソルが表示されると共に、ポインティングデバイスによる画面上での入力位置を表わすために、表示手段の画面上には、所謂ポインタが表示されるようになっている。
これらのカーソルおよびポインタは、常に表示手段の画面上に表示されており、各種入力操作の際に、これらのカーソルおよびポインタを参照することにより、入力操作が支援され得るようになっている。
【０００４】
しかしながら、例えばワープロソフトのような文字入力アプリケーションを使用して文字編集作業を行なっている場合には、文字入力の際に、文字入力の進行に伴ってカーソルが移動することにより、ポインタの表示位置付近にカーソルが表示されることがある。
このような場合、使用者にとって、ポインタの表示が文字入力の邪魔となることがあり、使用者は、文字入力の作業を中断して、ポインティングデバイスを操作して、表示手段の画面上におけるポインタを邪魔にならない位置まで移動させる必要があった。
【０００５】
さらに、使用者が文字入力の作業を終了した後、ポインティングデバイスによって各種操作を行なおうとする際に、まずポインティングデバイスを操作してポインタを目立つように大きく移動させて、この操作に対応して表示手段の画面上で移動するポインタを見つけた後、ポインティングデバイスによる所望の操作を行なわざるを得なかった。
【０００６】
これに対して、特許文献１には、ポインタを見失わないようにしたマウスポインタ制御装置が開示されている。
このポインタ制御装置は、使用者が一定時間ポインティングデバイスを操作しなかった場合に、表示手段の画面上にて予め設定した表示位置にポインタを自動的に移動させると共に、その位置を強調表示させるようにしている。
これにより、不要な場合に自動的にポインタを退避させることができると共に、使用者が容易にポインタを見つけることができるようになっている。
【０００７】
また、特許文献２には、キーボードのキー操作によってカーソル（ポインタ）を予め指定した位置に移動させるようにしたカーソル表示位置制御装置が開示されている。
このカーソル表示位置制御装置は、前もって割り付けられたキーが操作されたとき、表示手段の画面上にて指定された表示位置にカーソル（ポインタ）を移動させ、表示させるようにしている。
これにより、使用者が種々のアプリケーションの動作中にカーソル（ポインタ）を見失ったとき、所定のキーを操作して、カーソルを指定位置に移動させることにより、使用者がカーソル（ポインタ）を見失うようなことがない。
【特許文献１】特開平０７−３１１６５４号公報
【特許文献２】特開平１１−３５３０８８号公報
【発明の開示】
【発明が解決しようとする課題】
【０００８】
しかしながら、特許文献１によるマウスポインタ制御装置においては、ポインティングデバイスが一定時間操作されなかったとき、表示手段の画面上でポインタが自動的に所定の表示位置に退避されることから、文字入力アプリケーションの動作時にポインタが文字入力の邪魔になることはなく、さらに退避されたポインタが強調表示されることから、使用者が容易に退避されたポインタを見つけることができるが、この状態から使用者がポインティングデバイスを使用したい場合には、まずポインティングデバイスを操作することにより、表示手段の画面上にてポインタを上記所定の表示位置から使用したい位置、例えば退避前の表示位置に移動させる必要があり、操作が煩雑になってしまう。
さらに、特許文献１によるマウスポインタ制御装置においては、退避位置においてポインタを強調表示するようにしていることから、ポインタの強調表示のための処理回路が必要であり、構成が複雑になってしまい、コストが増大することになる。
【０００９】
これに対して、特許文献２によるカーソル表示位置制御装置においては、ポインタを指定位置に移動させるためには、所定のキーを操作することが必要であり、ポインティングデバイスに関する操作をキー入力装置のキー操作で行なうことになり、操作性が悪い。
また、ポインタが表示手段の画面上の指定位置に移動されるだけで、退避前のポインタの表示位置に戻すことはできない。したがって、使用者は、指定位置に移動されたポインタをポインティングデバイスにより再び所望の位置に移動させる必要があった。
【００１０】
本発明は、上記の問題を解決すべくなされたものであり、ポインタを表示手段の画面上の所定位置に退避させると共に、退避されたポインタをポインティングデバイスの操作に基づいて退避前の表示位置に復帰させるようにしたポインタ表示制御装置とそのポインタ表示方法および表示プログラムの提供を目的とする。
【課題を解決するための手段】
【００１１】
この目的を達成するため、本発明の請求項１記載のポインタ表示制御装置は、表示手段と、ポインティングデバイスから入力される入力信号に基づいて、ポインタを表示手段の画面上の所定位置に表示させる制御手段と、を設けたポインタ表示制御装置であって、上記制御手段が、前もって決められた入力操作に基づいて、及び／又は、ポインティングデバイスが所定時間操作されないとき、ポインタを表示手段の画面上の前もって決められた退避位置に移動させ、当該ポインタを異なる表示形式に変更する構成としてある。
【００１２】
ポインタ表示制御装置をこのような構成とすると、所定の条件により、例えば前もってポインティングデバイスやキーボードにおける決められた入力操作、あるいはポインティングデバイスが所定時間操作されないときに、制御手段が表示手段の画面上にてポインタを所定の退避位置に移動させることにより、例えば文字入力アプリケーションにおける文字編集作業中に、文字入力の際のカーソル位置付近にポインタが表示されて、上記ポインタが邪魔になるようなことがない。
したがって、使用者は、ポインティングデバイスを操作してポインタを邪魔にならない位置に移動させる必要なく、文字入力の作業に専念することができるので、文字入力効率が向上することになる。
【００１３】
また、退避位置に移動されたポインタは、表示手段の画面上にて異なる表示形式で表示されるので、使用者は、この異なる表示形式のポインタを容易に見つけることができると共に、退避位置に移動中であることを確認することができる。
その際、退避位置にてポインタは異なる表示形式のポインタ、例えば異なる描画パターンで表示されるので、描画パターンを切り替えるだけでよいことから、例えば従来の強調表示によるポインタの場合のような複雑な処理が不要であり、コストが低減され得ることになる。
【００１４】
また、請求項２記載のポインタ表示制御装置は、上記制御手段が、ポインタを上記退避位置に移動させた後、当該ポインタを前もって決められた動作パターンで移動表示する処理、又は、上記退避位置で表示するポインタの表示形式に複数個の描画パターンが登録されており、各描画パターンを順次に表示する処理の一方又は双方を実行する構成としてある。
【００１５】
ポインタ表示制御装置をこのような構成とすると、退避位置で表示されるポインタが所定の動作パターンで移動することにより、使用者は、退避位置に在るポインタを見失うようなことがない。
しかも、退避位置で表示されるポインタが順次に表示される複数個の描画パターンによりアニメーション表示されることになり、使用者は、退避位置に在るポインタを容易に見つけることができる。
【００１６】
また、請求項３記載のポインタ表示制御装置は、上記制御手段が、ポインタを上記退避位置に移動させる際に、移動前のポインタの現在位置を取得して、記憶手段に登録すると共に、ポインタが退避位置に表示されている状態でポインティングデバイスが操作されたとき、ポインタを上記現在位置に移動させ、当該ポインタを元の表示形式に変更する構成としてある。
ポインタ表示制御装置をこのような構成とすると、使用者は、ポインティングデバイスを操作するだけで、退避位置に移動しているポインタを移動前の現在位置に戻して、退避前と同様にして再びポインティングデバイスを使用することができる。その際、使用者は、表示手段の画面上でポインタを探したり、例えばキーボード装置等のキー操作を行なう必要がないことから、操作性が向上することになる。
【００１７】
また、請求項４記載のポインタ表示制御装置は、上記制御手段が、ポインタを現在位置に復帰させる際に、前もって設定された復帰速度および／または復帰軌道でポインタを現在位置に復帰させる構成としてある。
ポインタ表示制御装置をこのような構成とすると、使用者が所望の復帰速度・復帰軌道を設定することにより、容易に現在位置へのポインタの復帰を確認することができる。
【００１８】
また、請求項５記載のポインタ表示制御装置は、上記制御手段が、ポインタを現在位置に復帰させた後に、告知信号を発生させる構成としてある。
ポインタ表示制御装置をこのような構成とすると、この告知信号に基づいて、例えばビープ音等の音を鳴動させることによって、使用者は表示手段の画面上のポインタを視認しなくても、ポインタが現在位置に復帰したことを容易に確認することができる。
【００１９】
また、請求項６記載のポインタ表示方法は、ポインティングデバイスの操作に応じて表示手段の画面上の所定位置に表示させるポインタ表示制御方法において、所定の条件が満たされたとき、ポインタの現在位置を取得し、記憶手段に登録するステップと、当該ポインタを上記表示手段の画面上の前もって決められた退避位置に移動させると共に、当該ポインタを異なる表示形式に変更するステップと、その後、ポインタが退避位置に表示されている状態でポインティングデバイスが操作されたとき、ポインタを上記現在位置に移動させると共に、当該ポインタを元の表示形式に変更するステップと、を設けた構成としてある。
このように、本発明は、方法としても実現化することができる。
【００２０】
また、請求項７記載のポインタ表示プログラムは、ポインティングデバイスの操作に応じて表示手段の画面上の所定位置に表示させる処理をコンピュータに実行させるためのポインタ表示制御プログラムにおいて、所定の条件が満たされたとき、ポインタの現在位置を取得し、記憶手段に登録する手順と、当該ポインタを上記表示手段の画面上の前もって決められた退避位置に移動させると共に、当該ポインタを異なる表示形式に変更する手順と、その後、ポインタが退避位置に表示されている状態でポインティングデバイスが操作されたとき、ポインタを上記現在位置に移動させると共に、当該ポインタを元の表示形式に変更する手順と、をコンピュータに実行させる構成としてある。
このように、本発明は、プログラムとしても実現化することができる。
【発明の効果】
【００２１】
このようにして、本発明によれば、例えば前もってポインティングデバイスやキーボードにおける決められた入力操作、あるいはポインティングデバイスが所定時間操作されないときに、制御手段が表示手段の画面上にてポインタを所定の退避位置に移動させる。したがって、例えば文字入力アプリケーションにおける文字編集作業中に、文字入力の際のカーソル位置付近にポインタが表示されて、上記ポインタが邪魔になるようなことがない。
これにより、使用者は、ポインティングデバイスを操作してポインタを邪魔にならない位置に移動させる必要なく、文字入力の作業に専念することができるので、文字入力効率が向上することになる。
【００２２】
また、ポインタが退避位置に表示されている状態でポインティングデバイスが操作されたとき、ポインタを移動前の位置に移動させると共に、元の表示形式に変更することによって、使用者は、ポインティングデバイスを操作するだけで、例えばキーボード装置等の他の入力機器の入力操作を行なうことなく、退避位置に移動しているポインタを移動前の現在位置に戻して、退避前と同様にして再びポインティングデバイスを使用することができる。
【発明を実施するための最良の形態】
【００２３】
以下、本発明によるポインタ表示制御装置の実施形態を組み込んだ情報処理装置としてのパーソナルコンピュータについて、図１を参照して説明する。
図１は、本発明によるポインタ表示制御装置の実施形態を組み込んだパーソナルコンピュータの構成を示している。
【００２４】
なお、以下の実施形態におけるポインタ表示制御装置（パーソナルコンピュータ）における情報処理は、ポインタ表示制御プログラム（ソフトウエア）とコンピュータのハードウエア資源（制御手段，記憶手段，表示手段，入力手段等）とが協働した情報処理装置により実現することができる。ポインタ表示制御プログラムは、例えば、記録媒体により提供される。記録媒体としては、たとえば、磁気ディスク，光ディスク，半導体メモリ，その他コンピュータで読み取り可能な任意の手段を使用することができる。
また、記録媒体に記録されたポインタ表示制御プログラムは、記録媒体を直接コンピュータに装着して当該コンピュータに読み込ませることができ、また、通信回線を介してコンピュータに読み込ませるようにしても良い。
【００２５】
図１に示すように、パーソナルコンピュータ１０は、公知の構成であって、ＣＰＵを含む制御手段１００と、記憶手段（メモリ）１１０と、ディスプレイ装置（表示手段）１２０と、キー入力デバイスとしてのキーボード装置１３０と、ポインティングデバイスとしてのマウス１４０と、スピーカ１５０とを有して構成されている。
【００２６】
さらに、パーソナルコンピュータ１０は、本発明の実施形態によるポインタ表示制御装置２００が組み込まれている。
ここで、上記ポインタ表示制御装置２００は、ポインタ制御部２１０と、表示部２２０と、記憶部２３０と、から構成されている。
【００２７】
上記ポインタ制御部２１０は、パーソナルコンピュータ１０の制御手段１００内に内蔵され、あるいは制御手段１００のＣＰＵ上で稼動するアプリケーション等のプログラムにより機能するようになっている。
また、上記表示部２２０および記憶部２３０は、パーソナルコンピュータ１０のディスプレイ装置１２０および記憶手段１１０をそれぞれ利用するようになっている。
【００２８】
上記ポインタ制御部２１０は、ポインティングデバイスであるマウス１４０が前回操作された後一定時間が経過したとき、ポインタを標準動作から自動動作に切り替える、すなわち、表示部２２０の画面上におけるポインタの現在位置２２１を取得して、記憶部２３０に登録すると共に、上記記憶部２３０から前もって設定されたポインタ退避動作設定情報２３１を取得して、このポインタ退避動作設定情報２３１に基づいて、ポインタを退避位置まで設定された移動速度および移動パターンで移動させると共に、その退避位置にて前もって設定された表示形式（デザイン）の描画パターンによりポインタを表示し、さらにこのポインタを設定された動作パターンで動作させるようになっている。
【００２９】
ここで、上記ポインタ退避動作設定情報２３１は、パーソナルコンピュータ１０の制御手段１００上で動作するポインタ自動動作設定プログラムを利用して、図２に示すポインタ自動動作の第一の設定画面２１１により、上記キーボード装置１３０およびマウス１４０の操作により設定される。
図２において、上記第一の設定画面２１１は、ポインタの退避位置の設定を行なうための座標設定部２１２と、退避位置の設定を数値により行なう第二の座標設定部２１３と、ポインタの各種退避動作に関する設定を行なうポインタ退避動作設定部２１４と、ＯＫボタン２１５，キャンセルボタン２１６および適用ボタン２１７と、から構成されている。
【００３０】
上記座標設定部２１２は、マウス１４０により所望の位置にポインタを移動させてクリックすることにより、退避位置の座標が設定されるようになっている。
第二の座標設定部２１３は、有効２１３ａまたは無効２１３ｂをクリックすると共に、Ｘ軸欄２１３ｃおよびＹ軸欄２１３ｄに所望の座標位置を数値入力することにより、退避位置の座標が設定されるようになっている。
【００３１】
上記ポインタ退避動作設定部２１４は、ポインタのデザイン欄２１４ａと、移動パターン欄２１４ｂと、動作パターン欄２１４ｃと、設定ボタン２１４ｄ，プレビューボタン２１４ｅと、待ち時間欄２１４ｆと、から構成されている。
上記ポインタのデザイン欄２１４ａは、自動動作モード中に使用するポインタのデザイン（描画パターン）を選択入力するものであり、図示の場合「キラキラポインタ」が選択されている。
このキラキラポインタは、ポインタを目立たせるために、複数個の描画パターンから構成されており、これらの描画パターンを比較的短時間で順次に表示させることにより、星の瞬きのように、所謂強調表示と同様に表示されるようになっている。
【００３２】
上記移動パターン欄２１４ｂは、退避位置までの移動パターンを選択入力するものであり、図示の場合「直線」が選択されている。
上記動作パターン欄２１４ｃは、退避位置におけるポインタの移動パターンを選択入力するものであり、図示の場合「ハートマーク」が選択されている。
上記設定ボタン２１４ｄは、上記退避位置へのポインタ退避動作および復帰の際のポインタ復帰動作を設定するための第二の設定画面２１８（後述）を呼び出すためのものであり、この設定ボタン２１４ｄがクリックされることにより、第二の設定画面２１８がディスプレイ装置１２０の画面上に表示されるようになっている。
【００３３】
上記プレビューボタン２１４ｅは、ポインタの自動動作の設定状態を確認するためのものであり、このプレビューボタン２１４ｅをクリックすることによって、そのときの設定状態に基づいて、ポインタが退避位置に移動して上記動作パターンに基づいて動作した後元の位置まで戻るようになっている。
上記待ち時間欄２１４ｆは、マウス１４０の前回操作からのポインタが自動動作モードに切り替えられるまでの時間を設定するものであり、キーボード装置１３０により数値入力されるようになっており、図示の場合、６０秒が入力されている。
【００３４】
上記ＯＫボタン２１５は、第一の設定画面２１１で設定された各項目を登録するものであり、このＯＫボタン２１５をクリックすることにより、ポインタ制御部２１０が、これらの設定に基づいてポインタ退避動作設定情報２３１を記憶部２３０に登録するようになっている。
上記キャンセルボタン２１６は、第一の設定画面２１１で設定された各項目の設定内容をキャンセルするものであり、キャンセルボタン２１６をクリックすることにより、上記ポインタ制御部２１０は、上記第一の設定画面２１１で設定された各項目の設定内容を破棄して、第一の設定画面２１１を消去し、通常の画面表示に戻すようになっている。
上記適用ボタン２１７は、上記ＯＫボタン２１５と同様に第一の設定画面２１１で設定された各項目を登録すると共に、これらの設定内容を即時に現在のポインタ表示制御に反映させるようになっている。
【００３５】
上記第二の設定画面２１８は、図３に示すように、ポインタ退避動作設定部２１８ａと、ポインタ復帰動作設定部２１８ｂと、ＯＫボタン２１８ｃ，キャンセルボタン２１８ｄおよび適用ボタン２１８ｅと、から構成されている。
上記ポインタ退避動作設定部２１８ａは、退避時の移動速度および退避位置における動作パターンの大きさを設定するようになっている。
また、上記ポインタ復帰動作設定部２１８ｂは、復帰時の移動速度を設定すると共に、ポインタのデザイン欄２１８ｆと、移動パターン欄２１８ｇと、復帰完了通知の音声設定欄２１８ｈと、から構成されている。
【００３６】
ここで、上記ポインタ退避動作設定部２１８ａの移動速度および動作パターンの大きさそしてポインタ復帰動作設定部２１８ｂの移動速度は、指標をマウス１４０によりドラッグすることにより、所望の設定が行なわれるようになっている。
これに対して、上記ポインタのデザイン欄２１８ｆおよび移動パターン欄２１８ｇは、前述したポインタのデザイン欄２１４ａおよび動作パターン欄２１４ｃと同様に選択入力されるようになっている。
また、復帰完了通知の音声設定欄２１８ｈは、ポインタが元の位置に復帰した後、告知信号として発生される音声を選択入力するようになっている。
【００３７】
上記ＯＫボタン２１８ｃ，キャンセルボタン２１８ｄおよび適用ボタン２１８ｅは、前述したＯＫボタン２１５，キャンセルボタン２１６および適用ボタン２１７と同様に動作する。
【００３８】
また、上記ポインタ制御部２１０は、ポインタの自動動作モードにおいて、マウス１４０が操作されたとき、ポインタを自動動作から標準動作に切り替える、すなわち、上記記憶部２３０から現在位置２２１を読み出して、ポインタを退避位置から現在位置２２１まで設定された移動速度および移動パターンで復帰させて、上記現在位置２２１にて前もって設定された表示形式（デザイン）の描画パターンによりポインタを表示させる。
【００３９】
さらに、上記ポインタ制御部２１０は、ポインタを現在位置２２１に復帰させた後、告知信号として前もって設定された復帰完了通知を生成し、制御手段１００に出力する。
これにより、パーソナルコンピュータ１０の制御手段１００が、この復帰完了通知に基づいて、スピーカ１５０により、設定された音声を発生し、あるいは警告音を鳴動させるようになっている。
【００４０】
次に、本実施形態のポインタ表示制御装置２００のポインタ表示制御動作について、図４〜図６を参照して説明する。
図４は、ポインタ表示制御装置２００のポインタ退避動作を示すフローチャートである。
図４において、まずステップＡ１にて、マウス１４０が前回の操作から一定時間、例えば６０秒経過し、この間操作が行なわれないと、ポインタ制御部２１０は、ステップＡ２にて、ポインタを自動動作に切り替えて、表示部２２０の画面上におけるそのときのポインタの現在位置２２１を取得して、記憶部２３０に登録する。
【００４１】
続いて、ポインタ制御部２１０は、ステップＡ３にて、記憶部２３０から前もって登録されたポインタ退避動作設定情報２３１を読み出して、このポインタ退避動作設定情報２３１に基づいて、ステップＡ４にて、設定されている退避時の表示形式のポインタを表示部２２０の画面上に表示すると共に、ステップＡ５にて、設定されている退避時の移動速度および移動パターンでポインタを退避位置まで移動させる。
【００４２】
そして、ステップＡ６にて、ポインタの退避位置への移動が完了すると、ポインタ制御部２１０は、ステップＡ７にて、ポインタを設定されている動作パターンにしたがって設定されている大きさで実行することにより、ポインタを例えばハートマーク状に動作させる。このポインタの動作は、ステップＡ８にて、マウス１４０が操作されるまで繰返し行なわれる。
ここで、ステップＡ８にて、マウス１４０が操作されると、ポインタ制御部２１０は、ステップＡ９にて、ポインタを標準動作に切り替えて、復帰制御に移行する。
【００４３】
また、ステップＡ６にて、ポインタの移動が完了しないうちに、ステップＡ１０にて、マウス１４０が操作されると、ポインタ制御部２１０は、同様にしてステップＡ９にて、ポインタを標準動作に切り替えて、復帰制御に移行する。
これに対して、ステップＡ６にて、ポインタの移動が完了しないうちに、ステップＡ１０にて、マウス１４０が操作されないと、ポインタ制御部２１０は、ステップＡ３に戻って、上記ステップＡ３〜Ａ６およびＡ１０の動作を繰返し行なう。
また、ステップＡ１にて、マウス１４０が前回の操作から一定時間、例えば６０秒経過しないうちに、再びマウス１４０が操作されると、ポインタ制御部２１０は、ポインタ退避動作を終了する。
以上で、ポインタ表示制御装置２００によるポインタ退避動作の処理が完了する。
【００４４】
次に、ポインタ表示制御装置２００のポインタ復帰動作について、図５のフローチャートにしたがって説明する。
図５において、ポインタ制御部２１０は、ステップＢ１にて、記憶部２３０からポインタ退避動作設定情報２３１および現在位置２２１を読み出して、ポインタ退避動作設定情報２３１に基づいて設定されている復帰時の表示形式のポインタを表示部２２０の画面上に表示すると共に、ステップＢ２にて、設定されている復帰時の移動速度および移動パターンでポインタを現在位置２２１まで移動させる。
【００４５】
そして、ステップＢ３にて、ポインタの現在位置への移動が完了すると、ポインタ制御部２１０は、ステップＢ４にて、復帰完了通知の音声設定で音が設定されている場合には、ステップＢ５にて、設定された音声を発生させ、スピーカ１５０から出力し、処理を終了する。
また、ステップＢ５にて、音が設定されていない場合には、そのまま処理を終了する。
これに対して、ステップＢ３にて、ポインタの現在位置への移動が完了していない場合には、ポインタ制御部２１０は、ステップＢ１に戻り、ステップＢ１〜Ｂ３の動作を繰り返す。
以上で、ポインタ表示制御装置２００によるポインタ復帰動作の処理が完了する。
【００４６】
尚、ポインタ退避動作時のステップＡ４におけるポインタの設定は、図６のフローチャートに示すように行なわれる。
すなわち、図６において、Ｙ＝０として、ステップＣ１にて、ポインタ制御部２１０は、描画パターンＹをポインタに設定した後、ステップＣ２にて一定時間経過した後、Ｙ＝Ｙ＋１として、Ｙが設定されている描画パターンの最大数になるまで、再びステップＣ１に戻って、上記ステップＣ１およびＣ２を繰り返す。これにより、描画パターンＹが一定時間毎に順次にポインタに設定され、例えば前述したキラキラポインタの表示が行なわれることになる。
【００４７】
次に、上述したポインタ表示制御装置２００によるポインタの具体的な画面表示について、図７を参照して説明する。
図７において、まずポインタＰが、符号Ｘ１で示すように、表示部２２０の画面の現在位置２２１に表示された状態で、一定時間マウス１４０が操作されないと、ポインタ制御部２１０は、ポインタＰを標準動作から自動動作に切り替えて、異なる表示形式のポインタ、例えばキラキラポインタに変更すると共に、前もって設定された退避位置Ｘ２まで設定された速度および移動パターン（この場合、直線）で移動させる。
【００４８】
そして、ポインタ制御部２１０は、退避位置Ｘ２まで移動したポインタ（キラキラポインタ）を、符号Ｘ３で示すように、設定されている動作パターン（この場合、ハートパターン）で動作させる。
ここで、例えばポインタＰが符号Ｘ４で示す位置にあるときにマウス１４０が操作されると、ポインタ制御部２１０は、符号Ｘ５で示すように、設定されている移動速度および移動パターン（この場合、直線）で、ポインタＰを、退避前の現在位置２２１まで移動させると共に、設定されている元の表示形式のポインタＰに変更する。この変更後には、ポインタＰを自動動作から標準動作に切り替えることができる。
【００４９】
以上、本発明のポインタ表示制御装置，ポインタ表示制御方法およびポインタ表示制御プログラムの好ましい実施形態について説明したが、本発明に係るポインタ表示制御装置，ポインタ表示制御方法およびポインタ表示制御プログラムは上述した実施形態にのみ限定されるものではなく、本発明の範囲で種々の変更実施が可能であることは言うまでもない。
【００５０】
例えば、上述した実施形態においては、ポインティングデバイスとしてマウス１４０の場合について説明したが、これに限らず、トラックボール等の他の形式のポインティングデバイスを使用する場合にも本発明を適用し得ることは明らかである。
また、上述した実施形態においては、情報処理装置として、パーソナルコンピュータ１０を使用した場合について説明したが、これに限らず、ポインタ表示制御装置２００が組み込まれ得る他の情報処理装置、例えばサーバ等についても、本発明を適用し得ることは明らかである。
【産業上の利用可能性】
【００５１】
本発明は、表示手段の画面に表示されたマウスポインタに関する発明であるため、マウスポインタの表示画面や制御手段を有する機器や装置に利用可能である。
【図面の簡単な説明】
【００５２】
【図１】本発明によるポインタ表示制御装置の実施形態を組み込んだパーソナルコンピュータの構成を示すブロック図である。
【図２】図１のポインタ表示制御装置におけるポインタ自動動作の第一の設定画面を示す概略図である。
【図３】図１のポインタ表示制御装置におけるポインタ自動動作の第二の設定画面を示す概略図である。
【図４】図１のポインタ表示制御装置におけるポインタ退避動作を示すフローチャートである。
【図５】図１のポインタ表示制御装置におけるポインタ復帰動作を示すフローチャートである。
【図６】図１のポインタ表示制御装置における複数の描画パターンから成るポインタの表示動作を示すフローチャートである。
【図７】図１のポインタ表示制御装置によるポインタ表示制御の具体例を示す概略図である。
【符号の説明】
【００５３】
１０  パーソナルコンピュータ（情報処理装置）
１００  制御手段
１１０  記憶手段
１２０  ディスプレイ装置
１３０  キーボード装置
１４０  マウス（ポインティングデバイス）
１５０  スピーカ
２００  ポインタ表示制御装置
２１０  ポインタ制御部
２２０  表示部
２２１  現在位置
２３０  記憶部
２３１  ポインタ退避動作設定情報
【図１】
2006209671.tif 000003
【図２】
2006209671.tif 000004
【図３】
2006209671.tif 000005
【図４】
2006209671.tif 000006
【図５】
2006209671.tif 000007
【図６】
2006209671.tif 000008
【図７】
2006209671.tif 000009